(57)【要約】【課題】著作権により保護されたデータが不法複製されることを防止する、著作権により保護されたデータの再生装置を提供する。【解決手段】著作権により保護されたデータを再生する装置であって、著作権により保護されたデータを貯蔵するデータ貯蔵部２００と、データ貯蔵部２００に貯蔵された、そのデータを再生するための制御信号を発生する制御部４００と、制御部４００からの前記制御信号により、そのデータが再生された信号を出力する出力部５００と、制御部４００の動作を制御するための信号を入力するキー入力部３００と、著作権により保護されたデータの再生有無がディスプレイされるように、制御部４００の動作状態を表示する表示部７００と、制御部４００に駆動電源を印加する電源部６００と、上記各構成要素を収納するケースを含む。【選択図】図１
2006343739.tif 000002
【特許請求の範囲】
【請求項１】
著作権により保護されたデータを再生する装置であって、
前記著作権により保護されたデータを貯蔵するデータ貯蔵部と；
前記データ貯蔵部に貯蔵された、前記著作権により保護されたデータを再生するための制御信号を発生する制御部と；
前記制御部からの前記制御信号により、前記著作権により保護されたデータが再生された信号を出力する出力部と；
前記制御部の動作を制御するための信号を入力するキー入力部と；
前記著作権により保護されたデータの再生の有無がディスプレイされるように、前記制御部の動作状態を表示する表示部と；
前記制御部に駆動電源を印加する電源部と；
前記データ貯蔵部、制御部、出力部、キー入力部、表示部及び電源部を収納するケースと；
を含むことを特徴とする著作権により保護されたデータの再生装置。
【請求項２】
前記ケースは、一端側に連結環が貫通するように貫通孔を形成した環連結部をさらに含むことを特徴とする、請求項１に記載の著作権により保護されたデータの再生装置。
【請求項３】
前記データ貯蔵部は、前記貯蔵された著作権により保護されたデータへの上書きが防止されるようにして、前記著作権により保護されたデータの再生用信号のみが出力されるようにするメモリであることを特徴とする、請求項１または２に記載の著作権により保護されたデータの再生装置。
【請求項４】
前記メモリは、ＮＡＮＤ型フラッシュメモリ、ＮＯＲ型フラッシュメモリ、マスクロム、磁気メモリ、相変化メモリ、または強誘電体メモリの少なくともいずれか一つであることを特徴とする、請求項３に記載の著作権により保護されたデータの再生装置。
【請求項５】
前記著作権により保護されたデータは、音源データまたは画像データの少なくともいずれか一つであることを特徴とする、請求項１または２に記載の著作権により保護されたデータの再生装置。
【請求項６】
前記出力部は、イヤホン接続口またはＴＶ連結接続口の少なくともいずれか一つ以上を含むことを特徴とする、請求項１または２に記載の著作権により保護されたデータの再生装置。
【請求項７】
前記ケースは、一側面に、前記著作権により保護されたデータの情報が表示されるようにする情報表示部を含むことを特徴とする、請求項１または２に記載の著作権により保護されたデータの再生装置。
【請求項８】
前記情報表示部は、円形または多角形のいずれか一つの形状にて表示されるようにすることを特徴とする、請求項７に記載の著作権により保護されたデータの再生装置。
【請求項９】
前記情報表示部は、前記ケースに浮き彫りまたは沈み彫りのいずれか一つにより形成されるようにしたことを特徴とする、請求項７に記載の著作権により保護されたデータの再生装置。
【請求項１０】
前記ケースは、外形が円形または多角形のいずれか一つの形状であることを特徴とする、請求項１または２に記載の著作権により保護されたデータの再生装置。
【発明の詳細な説明】
【技術分野】
【０００１】
本発明は、再生装置に関するものであって、さらに詳細には、著作権により保護された音源データ及び画像データのうち少なくともいずれか一つを再生する、著作権により保護されたデータの再生装置に関するものである。
【背景技術】
【０００２】
一般に、従来の音楽を収める媒体として、ＬＰ（Ｌｏｎｇ  Ｐｌａｙｉｎｇ  Ｒｅｃｏｒｄ)、カセットテープ及びコンパクトディスク（Ｃｏｍｐａｃｔ  Ｄｉｓｋ：以下、ＣＤという）などがあり、これらに含まれた音源を再生するための再生装置としては、ＬＰ再生装置、カセットテープ再生装置及びコンパクトディスク再生装置（以下、ＣＤプレーヤーという)などがあり、最近では、ＭＰ３音源を再生するためのＭＰ３再生装置がある。
【０００３】
しかし、ＣＤプレーヤーは、ＬＰやカセットテープに比べ、優れた音質を提供するが、外部の振動と衝撃に敏感に反応するため、特に携帯用に使用する場合、ＣＤプレーヤーの再生動作中には、相当な注意を要するという不都合があった。
【０００４】
また、音源だけではなく映像を再生する装置としては、ＶＴＲ（Ｖｉｄｅｏ  Ｔａｐｅ  Ｒｅｃｏｒｄｅｒ)またはＤＶＤ（Ｄｉｇｉｔａｌ  Ｖｅｒｓａｔｉｌｅ  Ｄｉｓｋ)再生装置などがあり、最近では、高音質及び高画質の音源及び映像の提供が可能なＤＶＤ及びＤＶＤ再生装置などの供給が増える傾向にある。
【０００５】
また、最近のインターネットの急激な発展は、情報の検索のみならず、メディアのディジタル化を加速化させて、アナログ方式のカセットテープ、ビデオテープや、ウェーブ方式のＣＤ（Ｃｏｍｐａｃｔ  Ｄｉｓｋ)から、圧縮率及び伝送速度に優れたＭＰＥＧ方式に転換される趨勢である。特に、ＭＰＥＧ方式の中でも、オーディオなどの音源を最も効率的に圧縮する方式であるＭＰ３は、一般的なオーディオデータの貯蔵だけではなく、多様な通信手段を利用し、速い速度で高品質の音楽を伝送することができ、その普及及び利用が爆発的に増えている。
【０００６】
このようなＭＰ３は、ＭＰＥＧ  Ａｕｄｉｏ  Ｌａｙｅｒ−３と呼ばれる音声圧縮の規格で、音質に優れていながら、既存のウェーブ（Ｗａｖｅ）ファイルに比べ、１/１１程度の容量に圧縮することができ、音楽専用ウェブサイトだけではなく、情報提供ウェブサイトも、使用者の接続回数を増加させるために、ＭＰ３を利用した音源配布が幅広くなされているのが実情である。
【０００７】
なお、ＮａｐｓｔｅｒとＳｏｒｉｂａｄａのようなＭＰ３を共有するプログラムの伝播は、音盤市場を撹乱して、著作権侵害という深刻な問題を引き起こしているが、これは、音源提供者には利益創出の機会を阻害する要素として作用し、且つ、使用者間のＭＰ３ファイルが共有であるため、良質の音源（Ｓｏｕｎｄ Ｓｏｕｒｃｅ)を保障し難いという問題がある。
【０００８】
さらに、インターネット上でＭＰ３を利用した音源を提供する音源提供者の立場でも、著作権問題を解決せずに音源を無断に提供することはできないし、著作権費用の負担を抱えて、直接的な必要情報の提供とは関係のない音源サービスを実施するにも現実的に困難があり、最近ＤＲＭ（Ｄｉｇｉｔａｌ  Ｒｉｇｈｔ  Ｍａｎａｇｅｍｅｎｔ）などが適用され、音源の無料使用がさらに難しくなった。
【０００９】
したがって、本発明は、著作権により保護された音源データまたは映像データなどを、前記音源データ及び映像データが貯蔵された装置と一体に備えられた再生装置でのみ再生されるようにして、著作権により保護されたデータが不法複製されることを防止する再生装置を提案する。
【００１０】
【特許文献１】特開２０００−１０５５９８号公報
【発明の開示】
【発明が解決しようとする課題】
【００１１】
Ｎａｐｓｔｅｒ等のＭＰ３を共有するプログラムの伝播は、音盤市場を撹乱して、著作権侵害という深刻な問題を引き起こしている。
【００１２】
また、ＣＤまたはＤＶＤなどに貯蔵された音源は、コンピューターなどにおいて、不法にＭＰ３ファイルまたはＭＰ４等のファイルに変換することが容易であるため、著作物の不法使用が増加される趨勢にあり、不法複製物により、著作権者の権利が保護されないという問題点がある。
【００１３】
本願の目的は、かかる課題を解決し、著作権により保護されたデータが不法複製されることを防止する、著作権により保護されたデータの再生装置を提供することである。
【課題を解決するための手段】
【００１４】
上記の目的を達成するために、本発明は、著作権により保護されたデータを再生する装置であって、前記著作権により保護されたデータを貯蔵するデータ貯蔵部と；前記データ貯蔵部に貯蔵された、前記著作権により保護されたデータを再生するための制御信号を発生する制御部と；前記制御部からの前記制御信号により、前記著作権により保護されたデータが再生された信号を出力する出力部と；前記制御部の動作を制御するための信号を入力するキー入力部と；前記著作権により保護されたデータの再生有無がディスプレイされるように、前記制御部の動作状態を表示する表示部と；前記制御部に駆動電源を印加する電源部と；前記データ貯蔵部、制御部、出力部、キー入力部、表示部及び電源部を収納するケースと；を含むことを特徴とする。
【００１５】
また、前記ケースは、一端側に連結環が貫通するように貫通孔を形成した環連結部をさらに含むことを特徴とする。
【００１６】
また、前記データ貯蔵部は、前記貯蔵された著作権により保護されたデータへの上書きが防止されて、前記著作権により保護されたデータの再生用信号のみが出力されるようにするメモリであることを特徴とし、前記メモリは、ＮＡＮＤ型フラッシュメモリ、ＮＯＲ型フラッシュメモリ、マスクロム、磁気メモリ、相変化メモリ、または強誘電体メモリの少なくともいずれか一つであることを特徴とする。
【００１７】
また、前記著作権により保護されたデータは、音源データまたは画像データの少なくともいずれか一つであることを特徴とする。
【００１８】
また、前記出力部は、イヤホン接続口またはＴＶ連結接続口のうち少なくともいずれか一つ以上を含むことを特徴とする。
【００１９】
また、前記ケースは、外形が円形または多角形のいずれか一つの形状からなり、前記ケースの一側面に、前記著作権により保護されたデータの情報が表示されるように、情報表示部を形成したことを特徴とする。
【００２０】
また、前記情報表示部は、円形または多角形のいずれか一つの形状にて表示されるようにして、前記情報表示部が、前記ケースの一側面に浮き彫りまたは沈み彫りのいずれか一つにより形成されるようにしたことを特徴とする。
【発明の効果】
【００２１】
上述のように、本発明は、著作権により保護された音源及び画像データを再生装置と一体に形成する。従って、著作権により保護されたデータのみがデータ貯蔵部に貯蔵され、それ以外のデータは、データ貯蔵部に書き込む（貯蔵する）ことができない。これにより、著作権により保護された音源及び画像データが再生装置でのみ再生可能であって、データの不法複製を防止することが可能となる。
【００２２】
また、本発明は、著作権により保護されたデータを再生して、再生された音響信号または映像信号のみがメモリから出力される。これにより、著作権により保護された原本データ自体が不法に複製されることを防止することが可能となる。
【００２３】
また、本発明は、著作権により保護されたデータへの上書き防止され、データを改変することができない。従って、前記著作権により保護されたデータのみが再生されることが可能となる。
【００２４】
以上のように、本発明に係る著作権により保護されたデータの再生装置によれば、著作権により保護されたデータが不法複製されることを防止することが可能となる。
【発明を実施するための最良の形態】
【００２５】
以下、図面を参照し、本発明の好ましい実施例について説明する。
【００２６】
図１は、本発明による著作権により保護されたデータの再生装置１００の構成を示したブロック図である。図１において、著作権により保護されたデータの再生装置１００(以下、再生装置という)は、著作権により保護されたデータを貯蔵するデータ貯蔵部２００と、再生装置１００の動作信号を入力するためのキー入力部３００と、データ貯蔵部２００に貯蔵された、著作権により保護されたデータを再生するための制御部４００と、データ貯蔵部２００に貯蔵されたデータの再生信号を出力する出力部５００と、再生装置１００の駆動電源を提供する電源部６００と、再生装置１００の動作を表示する表示部７００とを含む。なお、本発明に係るデータの再生装置には、データの書き込み用及び読み出し用のポートは、備えられていない。
【００２７】
著作権により保護されたデータとは、創作物に対する著作者の排他的独占権利が認められるデータであって、本発明による著作権により保護されたデータは、創作物として認められる音響に対する音源データと、静止映像及び動映像などの画像データとを含む。前記音源データは、音、音楽などが含まれて、前記画像データは、スチール写真のような純粋な画像を収めたデータと、映画、ドラマなどのように、音源と画像の両方とも備えたデータを含む。
【００２８】
データ貯蔵部２００は、著作権により保護されたデータを貯蔵する構成であって、好ましくは、データ貯蔵部２００は、メモリであって、前記貯蔵された著作権により保護されたデータへの上書きが制御部４００により防止されて、前記著作権により保護されたデータの再生用信号のみが出力されるようにする。即ち、データ貯蔵部２００は、前記著作権により保護されたデータの貯蔵以後、外部からデータ貯蔵部２００へのデータ書き込み(貯蔵)が制御部４００により防止されるようにして、専らデータ貯蔵部２００に貯蔵された、前記著作権により保護されたデータの再生のための信号のみが出力されるようにする。前記メモリは、 ＮＡＮＤ型フラッシュメモリ、ＮＯＲ型フラッシュメモリ、マスクロム(Mask-Rom)、磁気メモリ、相変化メモリ(Phase memory)、または強誘電体メモリの少なくともいずれか一つから構成される。このデータ貯蔵部２００へのデータの書き込み（貯蔵）及び上書きについては、制御部４００により制御され、書き込み（貯蔵）及び上書きをプロテクトする。
【００２９】
また、データ貯蔵部２００に貯蔵されたデータは、ファイル形式に貯蔵されて、好ましくは、音響などの音源データをＭＰ３形式としてファイルに貯蔵して、画像データは、ＭＰ４形式のファイルに貯蔵する。すなわち、音源データ及び画像データは、ＣＤといった音楽を収める媒体に記録されるのではなく、データ貯蔵部２００のメモリに直接記憶され貯蔵される。
【００３０】
キー入力部３００は、再生装置１００の駆動のための制御信号を入力する構成であって、本発明による著作権により保護されたデータの再生装置の一実施例を示した図２を参考して説明すると、次のようである。
【００３１】
図２において、再生装置１００の一側にキー入力部３００が設けられて、再生装置１００がデータ貯蔵部２００に貯蔵された音源または画像データを再生できるように操作される。即ち、キー入力部３００を上下左右方向に動作またはプッシュ動作させることにより、再生装置１００が駆動されるように制御信号を入力する。また、本実施例では、再生装置１００の一側面の中央に設けられたが、キー入力部３００の設置位置は、必要に応じて容易に変形可能であることは、当業者にとって自明なことである。このキー入力部３００には、データ貯蔵部２００に貯蔵された音源または画像データを再生すること以外の操作、例えば、新たにデータを貯蔵部２００に書き込み（貯蔵）するための操作、貯蔵されたデータを上書きする操作、は設けられていない。
【００３２】
さらに図１を参照すると、制御部４００は、データ貯蔵部２００に貯蔵された前記著作権により保護されたデータを再生するための制御信号を発生する構成であって、制御部４００から発生した信号により、データ貯蔵部２００からデータを選択して再生させる出力部５００によりデータが再生される。制御部４００は、出力部５００に対して、データ貯蔵部２００に貯蔵された著作権により保護されたデータの再生機能のみを指示し、再生装置１００の外部からデータ貯蔵部２００へのデータ記録(貯蔵)は、行わない。即ち、制御部４００は、外部から入力されるデータがデータ貯蔵部２００に書き込み(貯蔵)、または前記著作権により保護されたデータに上書きされることを防止して、また、データ貯蔵部２００から前記著作権により保護されたデータを再生するために必要な再生用データのみを検出し、音源及び/または画像が再生されるようにして、前記再生された音源及び/または画像信号を出力することにより、著作権により保護された原本データ自体が不法複製されることを防止する。
【００３３】
また、制御部４００は、データ貯蔵部２００に貯蔵された前記著作権により保護されたデータを再生する場合、再生装置１００の動作有無を使用者が確認できるように、再生装置１００の動作表示用制御信号を発生する。
【００３４】
出力部５００は、制御部４００から発生された信号を外部出力装置に連結されるようにして、前記外部出力装置を通じて、前記再生された信号が出力されるようにする構成であって、図１及び図２を参照すると、データ貯蔵部２００に貯蔵されたデータが音源データである場合、イヤホン５１０を通じて、再生された音源が出力されるように、制御部４００とイヤホン５１０とを連結する。好ましくは、出力部５００は、イヤホン接続口である。即ち、出力部５００は、再生装置１００から再生された信号のみを出力する。
【００３５】
電源部６００は、制御部４００と連結されて、再生装置１００の駆動に必要な電源を、制御部４００を通じて再生装置１００の各構成要素に供給する。電源部６００は、１次電池及び２次電池の少なくともいずれか一つから構成されて、好ましくは、１次電池である。
【００３６】
表示部７００は、データの再生有無がディスプレイされるように、制御部４００の動作状態を表示する構成であって、ＬＥＤ及びＬＣＤの少なくともいずれか一つから構成されて、好ましくは、ＬＥＤで表示される。即ち、制御部４００の制御信号により、データ貯蔵部２００に貯蔵された著作権により保護されたデータが再生される場合、表示部７００は、制御部４００から出力される動作表示用制御信号によりＬＥＤが点灯されるようにして、再生有無を表示する。
【００３７】
一方、本発明による再生装置１００は、外部形状を円形状または多角形状のいずれか一つに構成して、好ましくは、四角形状に構成されるようにする。
【００３８】
また、再生装置１００の外部一側には、環連結部８００を形成し、再生装置１００を支持するための連結環または連結紐などと結合されるようにして、好ましくは、環連結部８００の中央を貫通して貫通孔８１０が形成される。
【００３９】
また、再生装置１００の外部の一側面には、使用者が再生装置１００に貯蔵された前記著作権により保護されたデータの内容を確認できるように、簡略情報を表示する情報表示部９００が設けられる。
【００４０】
情報表示部９００に表示される簡略情報は、好ましくは広告用印刷物であって、例えば、再生装置１００のデータ貯蔵部２００に貯蔵されたデータの名前及び写真の少なくとも一つを一面に出力して、他の側面に接着剤を塗布し、再生装置１００の情報表示部９００に付着する。
【００４１】
また、情報表示部９００は、再生装置１００の外部の一側面に、円形及び多角形のいずれか一つの形状に、浮き彫りまたは沈み彫りで形成される。即ち、情報表示部９００に円形、多角形、 浮き彫り及び沈み彫りなどを付与することにより、再生装置１００のデザインを改善することができる。
【００４２】
図３は、本発明による著作権により保護されたデータの再生装置の他の実施例を示した斜視図であって、図２の構成との差異点は、図２の実施例は、再生装置１００に貯蔵された著作権により保護されたデータがイヤホン５１０(図２参照)を通じて出力されるように、出力部５００をイヤホン接続口で構成したが、図３に示したように、再生装置１００に貯蔵された著作権により保護されたデータが画像データである場合、制御部４００(図１参照)を通じて再生されたデータは、連結ケーブル５２０を介してＴＶ５３０と連結されるように、ＴＶ連結接続口で出力部５００を構成した。
【００４３】
即ち、連結ケーブル５２０の一側は、再生装置１００の出力部５００と連結されて、他側は、ＴＶ５３０の一面に設けられた外部連結端子部(図示せず)と連結されるようにして、再生装置の出力部５００(図１参照)が音声信号と映像信号とを出力できるようにして、さらに好ましくは、赤色(Ｒ)、緑色(Ｇ)、及び青色(Ｂ)の映像信号と音声信号とが区分されて出力されるように構成した。
【００４４】
したがって、データ貯蔵部２００に貯蔵された前記著作権により保護されたデータが、一体に形成された再生装置１００でのみ再生されるようにすることにより、著作権により保護されたデータの不法複製を防止することができる。
【００４５】
また、原本データの不法複製を防止することにより、高画質、高音質の不法複製物の発生を防止及び流通を遮断することができるという長所がある。
【００４６】
また、本発明による再生装置は、高価のＭＰ３再生装置を代替することができるという長所がある。
【００４７】
また、本発明による再生装置は、従来のＣＤに新曲を貯蔵した音楽アルバムが容易に不法複製されることを防止する電子アルバムとして使用できるという長所がある。
【００４８】
以上、本発明の望ましい具現例について詳細に説明したが、当業界の通常の知識を有する者にとって、本発明の思想及び範囲から逸脱することなく、多様な変形及び修正が可能であることは明らかであり、このような変形及び修正が添付の請求の範囲に含まれることは自明なことである。
【図面の簡単な説明】
【００４９】
【図１】本発明による著作権により保護されたデータの再生装置の構成を示したブロック図である。
【図２】本発明による著作権により保護されたデータの再生装置の一実施例を示した斜視図である。
【図３】本発明による著作権により保護されたデータの再生装置の他の実施例を示した斜視図である。
【符号の説明】
【００５０】
１００  再生装置、２００  音源貯蔵部、３００  キー入力部、４００  制御部、５００  出力部、５１０  イヤホン、５２０  ＴＶ、６００  電源部、７００  表示部、８００  環連結部、８１０  貫通孔、９００  情報表示部。
【図１】
2006343739.tif 000003
【図２】
2006343739.tif 000004
【図３】
2006343739.tif 000005